(57)【要約】【課題】ダッカールピンを複数携帯したり、また、ヘアスタイルを整え直したりすることなく、装飾のあるダッカールピンと装飾のないダッカールピンの二種類を使い分けることができるようにする。【解決手段】支点（２）を中心に開閉する上下嘴部（３Ｕ，３Ｄ）の支点先端側が髪を挟むクリップ部（４）に形成されると共に後端側が前記クリップ部（４）を開閉するハンドル部（５）に形成され、支点部分に配されたバネの弾性により髪を挟みつける方向に付勢された嘴型のダッカールピン（１）に着脱可能に装着できるように、ダッカールピン装飾アタッチメント（１０）の任意の装飾が施される装飾台座（１１）に、ダッカールピン（１）の上嘴部（３Ｕ）に対してその長手方向左右両側から挟む方向に付勢された係合爪（１２）と、係合爪（１２）を開く開閉つまみ（１３）を設けた。【選択図】図１
0003131847.tif 000002
【実用新案登録請求の範囲】
【請求項１】
支点を中心に開閉する上下嘴部の支点先端側が髪を挟むクリップ部に形成されると共に後端側が前記クリップ部を開閉するハンドル部に形成され、支点部分に配されたバネの弾發力により髪を挟みつける方向に付勢された嘴型のダッカールピンに着脱自在に装着されるダッカールピン装飾アタッチメントであって、
任意の装飾が施される装飾台座に、前記ダッカールピンの上嘴部に対してその長手方向左右両側から挟む方向に付勢された係合爪と、該係合爪を開く開閉つまみが設けられたことを特徴とするダッカールピン装飾アタッチメント。
【請求項２】
前記装飾台座は、前記ダッカールピンの上嘴部の長手方向に沿って、その右側に当接される右台座と左側に当接される左台座がバネ蝶番を介して連結されて成り、前記係合爪が右台座及び左台座の下端部に形成され、前記開閉つまみが右台座及び左台座に一体に形成された請求項１記載のダッカールピン装飾アタッチメント。
【請求項３】
前記装飾台座は、前記ダッカールピンの上嘴部の長手方向に沿って、その上面中心部に当接される中心台座と、右側に当接される右台座と、左側に当接される左台座からなり、前記右台座及び左台座がバネ蝶番を介して中心台座に連結されてなり、前記係合爪が右台座及び左台座の下端部に形成され、前記開閉つまみが右台座及び左台座に一体に形成された請求項１記載のダッカールピン装飾アタッチメント。
【請求項４】
前記係合爪が、ダッカールピンの長手方向に沿って支点の前後両側２箇所で係合されるように右台座及び左台座の夫々に２箇ずつ形成された請求項１乃至３いずれか記載のダッカールピン装飾アタッチメント。
【請求項５】
前記開閉つまみに任意の装飾が施されてなる請求項１乃至４いずれか記載のダッカールピン装飾アタッチメント。
【考案の詳細な説明】
【技術分野】
【０００１】
本考案は、まとめた髪を挟んで止める嘴型のダッカールピンに着脱自在に装着されるダッカールピン装飾アタッチメントに関する。
【背景技術】
【０００２】
ダッカールピン（Duck curl pin）は、バネで髪を挟むことができるヘアクリップの一種で、鳥の長い嘴（くちばし）のような形状をしており、もともとは、美容院でヘアスタイルを作るときに、ブロッキングした髪を留めておいたり、仮止めしたりするのに使っていたものである。
具体的には、支点を中心に開閉する上下嘴部の支点先端側が髪を挟むクリップ部に形成されると共に後端側が前記クリップ部を開閉するハンドル部に形成され、支点部分に配されたバネの弾發力により髪を挟みつける方向に付勢されている。
【０００３】
そして最近では、美容院で使用する飾りのないシンプルなものだけではなく、髪の毛を挟んだときに外部に露出する上嘴部の部分にさまざまな装飾を施したカジュアルなヘアアクセサリーが市販され、人気を博している。
【０００４】
ところで、一般的な職場の女性従業員がダッカールピンで髪を留める場合に、仕事中は派手な装飾を避けるため、装飾がないか、あっても極めてシンプルな装飾のダッカールピンが好んで用いられている。
また、仕事が終わって事務服から私服に着替え、アフターファイブの時間を楽しむ際には、派手な装飾を付したダッカールピンが好んで用いられる傾向にある。
したがって通常は、勤務中につける装飾のないダッカールピンと、勤務終了後につける派手な装飾のあるダッカールピンを携帯し、勤務開始前及び終了後に付け替えているのが実態である。
【０００５】
しかしながら、ダッカールピンを用いる女性は髪が長いのが普通であり、ダッカールピンを付け替えるたびごとに、その長い髪を束ねてヘアスタイルを整え直してブロッキングした髪を留めているため、付け替えるときのヘアスタイリングに要する手間が面倒であるという問題があった。
【考案の開示】
【考案が解決しようとする課題】
【０００６】
そこで本考案は、ダッカールピンを複数携帯したり、また、ヘアスタイルを整え直したりすることなく、装飾のあるダッカールピンと装飾のないダッカールピンの二種類を使い分けることができるようにすることを技術的課題としている。
【課題を解決するための手段】
【０００７】
この課題を達成するために、本考案は、支点を中心に開閉する上下嘴部の支点先端側が髪を挟むクリップ部に形成されると共に後端側が前記クリップ部を開閉するハンドル部に形成され、支点部分に配されたバネの弾發力により髪を挟みつける方向に付勢された嘴型のダッカールピンに着脱自在に装着されるダッカールピン装飾アタッチメントであって、任意の装飾が施される装飾台座に、前記ダッカールピンの上嘴部に対してその長手方向左右両側から挟む方向に付勢された係合爪と、該係合爪を開く開閉つまみが設けられたことを特徴としている。
【考案の効果】
【０００８】
本考案に係るダッカールピン装飾アタッチメントは、任意の装飾が施される装飾台座に、ダッカールピンの上嘴部に対してその長手方向左右両側から挟む方向に付勢された係合爪が取り付けられている。
したがって、装飾のないダッカールピンで髪の毛を留めたままの状態で、開閉つまみにより係合爪を開いて、髪の毛から露出しているダッカールピンの上嘴部に対してその長手方向左右両側から係合させることにより、ダッカールピンを外すことなく、極めて簡単に装飾アタッチメントを装着して装飾付ダッカールピンとして使用することができるので、ヘアスタイリングをし直す面倒がない。
また、髪の毛を挟んでいるダッカールピンに装飾アタッチメントが装着されている場合に、開閉つまみをつまんで係合爪を開くことにより、ダッカールピンで髪の毛を挟んだままの状態で装飾アタッチメントのみを簡単に外すことができるので、この場合も、ヘアスタイリングをし直す面倒がない。
【０００９】
ここで、請求項２のように、装飾台座が、ダッカールピンの上嘴部の長手方向に沿って、その右側に当接される右台座と左側に当接される左台座からなり、互いにバネ蝶番を介して連結されたものを用いれば、装飾台座がダッカールピンの長手方向に伸びる中心線に対して略対称に分割される。
したがって、ダッカールピンの長手方向に伸びる中心線に対して略対称な装飾あるいは中心線の両側に分割された装飾を施す場合に適している。
【００１０】
また、請求項３のように、装飾台座が、ダッカールピンの上嘴部の長手方向に沿って、その上面中心部を覆う中心台座と、右側に当接される右台座と、左側に当接される左台座からなり、右台座及び左台座がバネ蝶番を介して中心台座に連結されていてもよい。
この場合、ダッカールピンの上面中心部に当接される中心台座に任意の装飾を施すことができるので、例えば、ダッカールピンの長手方向に直交する軸に対して略対称の装飾を施す場合に適している。
【００１１】
さらに、請求項４のように、係合爪が、ダッカールピンの長手方向に沿って支点の前後両側２箇所で係合されるように右台座及び左台座の夫々に２箇ずつ形成されていれば、爪を係合させた状態で、装飾台座がダッカールピンの長手方向に位置ずれすることもない。
【００１２】
さらにまた、請求項５のように、係合爪を開閉させる開閉つまみに任意の装飾を施すことにより、アタッチメントをダッカールピンに装着した状態で、そのアタッチメントの外部から見える部分の全てに装飾が施されることとなり、アクセサリーとして、より豪華で高級感のあるダッカールピンを演出することができる。
【考案を実施するための最良の形態】
【００１３】
本考案は、ダッカールピンを複数携帯したり、また、ヘアスタイルを整え直したりすることなく、装飾のあるダッカールピンと装飾のないダッカールピンの二種類を使い分けることができるようにするという目的を達成するために、支点を中心に開閉する上下嘴部の支点先端側が髪を挟むクリップ部に形成されると共に後端側が前記クリップ部を開閉するハンドル部に形成され、支点部分に配されたバネの弾性により髪を挟みつける方向に付勢された嘴型のダッカールピンに着脱可能に装着されるダッカールピン装飾アタッチメントであって、任意の装飾が施される装飾台座に、ダッカールピンの上嘴部に対してその長手方向左右両側から挟む方向に付勢された係合爪と、該係合爪を開く開閉つまみを設けた。
【００１４】
図１は本考案に係るダッカールピン装飾アタッチメントを示す斜視図、図２（ａ）及び（ｂ）はダッカールピンとの係合関係を示す断面図、図３（ａ）及び（ｂ）は平面図及び底面図、図４（ａ）〜（ｃ）は装飾アタッチメントの着脱状態を示す説明図、図５は他の実施形態を示す斜視図、図６（ａ）及び（ｂ）はダッカールピンとの係合関係を示す断面図である。
【実施例１】
【００１５】
図１〜図４に示すダッカールピン装飾アタッチメント１０は、嘴型のダッカールピン１に着脱自在に装着されるものである。
ダッカールピン１は、支点２を中心に開閉する上下嘴部３Ｕ、３Ｄの支点先端側が髪を挟むクリップ部４に形成されると共に後端側が前記クリップ部４を開閉するハンドル部５に形成され、上下嘴部３Ｕ、３Ｄが支点２部分に配されたバネ６の弾發力により髪を挟みつける方向に付勢されている。
【００１６】
装飾アタッチメント１０は、任意の装飾が施される装飾台座１１に、ダッカールピン１の上嘴部３Ｕに対してその長手方向左右両側から挟む方向に付勢された係合爪１２と、係合爪１２を開く開閉つまみ１３が設けられて成る。
【００１７】
本例の装飾台座１１は、ダッカールピン１の上嘴部３Ｕの長手方向に沿って、その右側に当接される右台座１１Ｒと、左側に当接される左台座１１Ｌがバネ蝶番１４を介して連結されている。
そして、右台座１１Ｒ及び左台座１１Ｌの下端部には、前記係合爪１２が、ダッカールピン１の長手方向に沿って支点２の前後両側２箇所で係合されるように２箇ずつ形成されている。
この係合爪１２の間隔は、係合状態で各爪１２…が支点２の両側に当接されるように支点２の横幅に略等しく形成されており、これにより、装飾アタッチメント１０をダッカールピンに２に係合させたときに、アタッチメント１０がダッカールピン１の長手方向に位置ずれすることがない。
【００１８】
さらに、右台座１１Ｒ及び左台座１１Ｌには、装飾を施した開閉つまみ１３及び１３が一体に形成されて装飾台座１１の一部を構成している。
ここで、図２（ａ）に示すように、この開閉つまみ１３及び１３を指でつまむことにより、バネ蝶番１４の弾發力に抗して右台座１１Ｒ及び左台座１１Ｌを押し広げて、係合爪１２を開くことができる。
そして、図２（ｂ）に示すように、開閉つまみ１３及び１３から指を離せば、バネ蝶番１４の弾發力により右台座１１Ｒ及び左台座１１Ｌがダッカールピン１の上嘴部３Ｕを両側から挟み、係合爪１２が上嘴部３Ｕに引っ掛って係合する。
このとき、係合爪１２…は支点２の両側に当接されるように係合されるので、アタッチメント１０がダッカールピン１の長手方向に位置ずれすることがない。
【００１９】
また本例では、右台座１１Ｒ及び左台座１１Ｌがダッカールピン１の上嘴部３Ｕのほとんど全面を覆う程度に長く形成されているだけでなく、開閉つまみ１３，１３自体が目を惹くように大きくデザイン化されて形成され、その部分にも装飾が施されているので、アタッチメント１０をダッカールピン１に装着した状態で、そのアタッチメント２の外部から見える部分のほとんどが全てに装飾が施されることとなり、アクセサリーとして、より豪華で高級感のあるダッカールピンとして使用することができる。
【００２０】
以上が本考案の一構成例であって、次にその作用について図４に基づいて説明する。
装飾のないダッカールピン１を用いて例えば揚げ巻のヘアスタイルで髪を留めるときは、図４（ａ）に示すように、髪を頭頂部に向かって梳かし上げて束ね、上で巻いて髷Ｃを作り、後頭部に載せた状態で右手で押えておき、左手で持ったダッカールピン１の上下嘴部３Ｕ、３Ｄを大きく開いて、下嘴部３Ｄを深く刺し、上嘴部３Ｕで髷Ｃの上から髪を挟みつけるようにして留める。
ダッカールピン１には装飾がないので、仕事中は派手な装飾を避ける一般的な職場の女性従業員も違和感なく使用することができる。
【００２１】
次いで、仕事が終わって事務服から私服に着替え、アフターファイブの時間を楽しむ際には、図４（ｂ）に示すように、ダッカールピン１で髪を留めたまま、装飾アタッチメント１０の開閉つまみ１３を持って、右台座１１Ｒ及び左台座１１Ｌを広げ、夫々の係合爪１２…が支点２の前後両側に当接される位置で上嘴部３Ｕと係合させる。
【００２２】
これにより、図４（ｃ）に示すように、ダッカールピン１に装飾アタッチメント１０を装着することができ、勤務中につける装飾のないダッカールピンと、勤務終了後につける派手な装飾のあるダッカールピンを二つ携帯するまでもなく、また、ヘアスタイルを整え直すことなく、装飾なしのダッカールピン１を派手な装飾付のダッカールピンとして使用することができる。
【００２３】
なお、本例の場合は、装飾台座１１が、ダッカールピン１の上嘴部３Ｕの長手方向に沿って、その右側に当接される右台座１１Ｒと左側に当接される左台座１１Ｌからなり、ダッカールピン１の長手方向に伸びる中心線を境に略対称に分割される。
本例では、装飾が施された一対の開閉つまみ１３，１３が、右台座１１Ｒ及び左台座１１Ｌに一体に形成されて長手方向に伸びる中心線に対して略対称な装飾が施されており、したがって、ダッカールピン１の長手方向に伸びる中心線に対して略対称な装飾あるいは中心線の両側に分割された装飾を施す場合に適している。
【実施例２】
【００２４】
図５及び６は他の実施形態を示し、図１〜４と共通する部分は同一符号を付して詳細説明は省略する。
装飾アタッチメント２０は、任意の装飾が施される装飾台座２１に、ダッカールピン１の上嘴部３Ｕに対してその長手方向左右両側から挟む方向に付勢された係合爪２２と、係合爪２２を開く開閉つまみ２３が設けられて成る。
【００２５】
そして、本例の装飾台座２１は、ダッカールピン１の上嘴部３Ｕの長手方向に沿って、その上面中心部に当接される中心台座２１Ｃと、右側に当接される右台座２１Ｒと、左側に当接される左台座２１Ｌからなり、右台座２１Ｒ及び左台座２１Ｌがバネ蝶番２４…を介して中心台座２２Ｃに連結されている。
【００２６】
そして、右台座２１Ｒ及び左台座２１Ｌの下端部には、実施例１と同様、係合爪２２が、ダッカールピン１の長手方向に沿って支点２の前後両側２箇所で係合されるように２箇ずつ形成されている。
この係合爪１２の間隔は、係合状態で各係合爪２２…が支点２の両側に当接されるように支点２の横幅に略等しく形成されており、これにより、装飾アタッチメント２０をダッカールピン１に係合させたときに、アタッチメント２０がダッカールピン１の長手方向に位置ずれすることがない。
【００２７】
さらに、右台座２１Ｒ及び左台座２１Ｌには、装飾を施した比較的小さな開閉つまみ２３及び２３が一体に形成されて装飾台座２１の一部を構成している。
ここで、図６（ａ）に示すように、この開閉つまみ２３及び２３を指でつまむことにより、バネ蝶番２４の弾發力に抗して右台座２１Ｒ及び左台座２１Ｌを押し広げて、係合爪２２を開くことができる。
そして、図６（ｂ）に示すように、開閉つまみ２３及び２３から指を離せば、バネ蝶番２４の弾發力により右台座２１Ｒ及び左台座２１Ｌがダッカールピン１の上嘴部３Ｕを両側から挟み、係合爪２２が上嘴部３Ｕに引っ掛って係合する。
このとき、係合爪２２…は支点２の両側に当接されるように係合されるので、アタッチメント２０がダッカールピン１の長手方向に位置ずれすることがない。
【００２８】
本例では、装飾台座２１をダッカールピンの上嘴部３Ｕの長手方向に沿って、その上面中心部を覆う中心台座２１Ｃと、右側に当接される右台座２１Ｒと、左側に当接される左台座２１Ｌの三つに分割したので、ダッカールピン１の上面中心部に当接される中心台座２１Ｃに任意の装飾を施すことができる。
本例では、中心台座２１Ｃに、ダッカールピン１の長手方向に直交する軸に対して略対称に羽２５，２５を広げた蝶２６のモチーフが装飾として施されると共に、小さな開閉つまみ２３、２３があたかも蝶の頭部及び腹部をデフォルメしたようなデザインとなっており、このようなデザインのモチーフを施す場合に適している。
【００２９】
なお、上述の説明では、いずれも係合爪１２，２２がダッカールピン１の支点２の前後両側２箇所で係合される場合について説明したが、本考案はこれに限るものではなく、上嘴部３Ｕに対してその長手方向左右両側から挟む方向に付勢されるものであればその個数及び形態は任意である。
【産業上の利用可能性】
【００３０】
本考案は、まとめた髪を挟んで止める嘴型のダッカールピンに着脱自在に装着することにより、一つのダッカールピンを装飾のないダッカールピンとしても、装飾が施されたダッカールピンとしても使用できるダッカールピン装飾アタッチメントの用途に適用することができる。
【図面の簡単な説明】
【００３１】
【図１】本考案に係るダッカールピン装飾アタッチメントを示す斜視図。
【図２】（ａ）及び（ｂ）はダッカールピンとの係合関係を示す断面図。
【図３】（ａ）及び（ｂ）は平面図及び底面図。
【図４】（ａ）〜（ｃ）は装飾アタッチメントの着脱状態を示す説明図。
【図５】他の実施形態を示す斜視図。
【図６】（ａ）及び（ｂ）はダッカールピンとの係合関係を示す断面図。
【符号の説明】
【００３２】
１  ダッカールピン
２  支点
３Ｕ、３Ｄ  嘴部
４  クリップ部
５  ハンドル部
６  バネ
１０  ダッカールピン装飾アタッチメント
１１  装飾台座
１１Ｒ  右台座
１１Ｌ  左台座
１２  係合爪
１３  開閉つまみ
１４  バネ蝶番
【図１】
0003131847.tif 000003
【図２】
0003131847.tif 000004
【図３】
0003131847.tif 000005
【図４】
0003131847.tif 000006
【図５】
0003131847.tif 000007
【図６】
0003131847.tif 000008